(57)【要約】【課題】  ガスを確実に外部に放出して、記録円盤の記録面を保護することができる記録円盤プロテクターを提供する。【解決手段】  中心孔１を有するドーナツ型基本シート２の下面に、記録円盤Ｅの記録面に粘着分離自在に粘着される粘着剤層を備える。中心孔１の直径Ｄ1 が、記録円盤の中心孔の直径Ｄ2 と同一寸法に設定する。３本以上のガス抜きスリット４を径方向に貫設する。【選択図】  図１
2006134369.tif 000002
【特許請求の範囲】
【請求項１】
中心孔（１）を有するドーナツ型基本シート（２）の下面（２ａ）に、記録円盤（Ｅ）の記録面（Ｒ）に粘着分離自在に粘着される粘着剤層（３）を備え、
上記中心孔（１）の直径（Ｄ1 ）を、記録円盤（Ｅ）の中心孔（Ｔ）の直径（Ｄ2 ）と同一寸法に設定し、
３本以上のガス抜きスリット（４）を径方向に貫設したことを特徴とする記録円盤プロテクター。
【請求項２】
粘着剤層（３）が、多数の独立小突出子（６）を有し、該独立小突出子（６）間に、ガスを外部へ逃がすための溝（７）を形成した請求項１記載の記録円盤プロテクター。
【請求項３】
基本シート（２）が紙から成る請求項１又は２記載の記録円盤プロテクター。
【請求項４】
ガス抜きスリット（４）の近傍に、記録円盤（Ｅ）の記録済みの量及び／又は記録用残量を表示する目盛部（５）を有する請求項１，２又は３記載の記録円盤プロテクター。
【発明の詳細な説明】
【技術分野】
【０００１】
本発明は、記録円盤プロテクターに関する。
【背景技術】
【０００２】
従来、記録円盤（例えばＣＤＲ）の記録面を保護するために、記録円盤プロテクターを記録面に貼付させて、収納・保管している（例えば、特許文献１参照）。
【０００３】
しかし、記録円盤プロテクターと記録円盤の記録面は、相互に全面的に接触していた。そして、記録円盤プロテクターの粘着剤層からガスが発生することがあり、このガスが、記録円盤プロテクターと記録円盤の間に密封状となり、記録円盤の記録面に損傷を与える虞れがあった。
【特許文献１】特開平９−１４７４１８号公報
【発明の開示】
【発明が解決しようとする課題】
【０００４】
解決しようとする課題は、ガスを外部に逃がすことができない点である。
【課題を解決するための手段】
【０００５】
そこで、本発明に係る記録円盤プロテクターは、中心孔を有するドーナツ型基本シートの下面に、記録円盤の記録面に粘着分離自在に粘着される粘着剤層を備え、上記中心孔の直径を、記録円盤の中心孔の直径と同一寸法に設定し、３本以上のガス抜きスリットを径方向に貫設したものである。
【０００６】
また、粘着剤層が、多数の独立小突出子を有し、該独立小突出子間に、ガスを外部へ逃がすための溝を形成したものである。また、基本シートが紙から成るものである。また、ガス抜きスリットの近傍に、記録円盤の記録済みの量及び／又は記録用残量を表示する目盛部を有するものである。
【発明の効果】
【０００７】
本発明の記録円盤プロテクターによれば、ガスを確実に外部に放出して、記録円盤の記録面を保護することができる。記録円盤に対して高精度に中心を一致させて（センタリングして）貼着することが容易である。
【発明を実施するための最良の形態】
【０００８】
図１・図２は、本発明の第１の実施の形態の使用状態を示す。すなわち、この記録円盤プロテクターＰは、記録円盤Ｅ（例えばＣＤＲ）の記録面Ｒに粘着分離自在に粘着されて、記録面Ｒに埃が付着したり傷が付いたりするのを防止する（すなわち、記録面Ｒを保護する）。
【０００９】
具体的には、中心孔１を有するドーナツ型基本シート２の下面２ａに、記録円盤Ｅの記録面Ｒに粘着分離自在に粘着される粘着剤層３を備える。基本シート２は天然紙から成る。粘着剤層３は、樹脂（例えば、ウレタン系粘着剤）から成る。
【００１０】
径方向に３本以上のガス抜きスリット４が貫設されている。ガス抜きスリット４が１本又は２本の場合、十分なガス抜きができない虞れがある。ガス抜きスリット４の近傍に、記録円盤Ｅの記録済みの量、又は、記録用残量を表示する目盛部５を有する。５ａは記録済みの量を表示する目盛部を示し、５ｂは記録用残量を表示する目盛部を示す。
目盛部５は、オフセット印刷によって形成されている。オフセット印刷によって、容易に印刷することができる。
【００１１】
Ｋ1 は記録済部を示し、Ｋ2 は未記録部を示す。一般に、記録済部Ｋ1 は光を散乱し、未記録部Ｋ2 は光を鏡状に反射するので、両者は異なる色に見える。そして、記録済部Ｋ1 と未記録部Ｋ2 の境界線Ｌの位置にある目盛部５を読むことで、記録済みの量又は記録用残量（すなわち、それぞれの記憶容量、再生時間等）を知ることができる。
【００１２】
中心孔１の直径Ｄ1 は、記録円盤Ｅの中心孔Ｔの直径Ｄ2 と同一寸法に設定されている。直径Ｄ1 と直径Ｄ2 が異なる場合、記録円盤Ｅと記録円盤プロテクターＰを正確に位置合わせするのが困難であり、目盛部５が不適切な位置に配設されて、正確に記録済みの量や記録用残量を知ることができない虞れがある。
【００１３】
図３に示すように、粘着剤層３は、多数の略直方体状の独立小突出子６を有する。独立小突出子６間に、ガスを外部へ逃がすための格子状の溝７が形成されている。粘着剤層３でガスが発生した場合、ガスは、矢印Ｘに示すように、溝７から外部へ逃げることができる。また、矢印Ｙに示すように、中心孔１から外部へ逃げることができる。また、矢印Ｚに示すように、基本シート２を通り抜けて外部へ逃げることができる。
【００１４】
図４は、第２の実施の形態を示す。粘着剤層３の下面３ａに、剥離紙８が積層されている。この記録円盤プロテクターＰは、剥離紙８を剥離させて、粘着剤層３を記録円盤Ｅ（図２参照）の記録面Ｒに粘着させて使用する。
【００１５】
図５及び図６は、第３の実施の形態を示す。すなわち、独立小突出子６は、同一所定高さ寸法Ｈで底面視形状がランダム（不均一）な柱状に形成されている。なお、図６は、剥離紙８を剥離した状態の底面図を示す。
【００１６】
本発明は、設計変更可能であって、例えば、ガス抜きスリット４の近傍に、記録円盤Ｅの記録済みの量、及び、記録用残量を表示する目盛部５を有するも良い。また、基本シート２が合成紙から成るも良い。また、基本シート２にオフセット印刷にて、目盛部５以外に文字や絵等を印刷するも良い。また、基本シート２が上面２ｂ（図２参照）にコーティング層を有するも良い。
【００１７】
以上のように、本発明は、中心孔１を有するドーナツ型基本シート２の下面２ａに、記録円盤Ｅの記録面Ｒに粘着分離自在に粘着される粘着剤層３を備え、中心孔１の直径Ｄ1 を、記録円盤Ｅの中心孔Ｔの直径Ｄ2 と同一寸法に設定し、３本以上のガス抜きスリット４を径方向に貫設したので、ガスを確実に外部に放出して、記録円盤Ｅの記録面Ｒを保護することができる。また、中心孔１を記録円盤Ｅの中心孔Ｔと位置合わせする（センターを合致させる）ことにより、容易に記録円盤Ｅの適切な位置に粘着させることができる。
【００１８】
また、粘着剤層３が、多数の独立小突出子６を有し、独立小突出子６間に、ガスを外部へ逃がすための溝７を形成したので、ガスをより確実に外部に放出して、記録円盤Ｅの記録面Ｒを保護することができる。
また、基本シート２が紙から成るので、基本シート２からもガスを逃がすことができて一層確実に記録円盤Ｅの記録面Ｒを保護することができる。また、安価にて大量生産することができる。
また、ガス抜きスリット４の近傍に、記録円盤Ｅの記録済みの量及び／又は記録用残量を表示する目盛部５を有するので、記録円盤Ｅの記録済みの量及び／又は記録用残量を知ることができる。特に、中心孔１の直径Ｄ1 を、記録円盤Ｅの中心孔Ｔの直径Ｄ2 と同一寸法に設定したので、記録円盤Ｅに位置合わせする（センターを合致させる）のが容易であって、正確な記録済みの量及び／又は記録用残量を知ることができる。
【図面の簡単な説明】
【００１９】
【図１】本発明の使用状態を示す平面図である。
【図２】図１のＡ−Ａ断面を示す断面正面図である。
【図３】図１のＢ−Ｂ断面を示す要部拡大正面図である。
【図４】第２の実施の形態を示す要部拡大正面図である。
【図５】第３の実施の形態を示す要部拡大正面図である。
【図６】説明用底面図である。
【符号の説明】
【００２０】
１  中心孔
２  基本シート
２ａ  下面
３  粘着剤層
４  ガス抜きスリット
５  目盛部
６  独立小突出子
７  溝
Ｄ1 直径
Ｄ2 直径
Ｅ  記録円盤
Ｒ  記録面
Ｔ  中心孔
【図１】
2006134369.tif 000003
【図２】
2006134369.tif 000004
【図３】
2006134369.tif 000005
【図４】
2006134369.tif 000006
【図５】
2006134369.tif 000007
【図６】
2006134369.tif 000008